(57)【要約】【課題】空気調和機において、還元水をミスト化する時に還元水の濃度を調節して室内に送り込む空気調和機を提供することを目的としている。【解決手段】機器内に、貯水可能なタンク１と、水を電気分解するための陽電極２および陰電極３と、電極に電圧を印加するための電源回路５と、水を噴射するためのノズル６と、水を運ぶポンプ７と、噴射した水を衝突させるための壁面８と、室内にミストを送り込むファン９を構成し、還元水をミスト状で室内に送り込む。【選択図】図１
2009100976.tif 000002
【特許請求の範囲】
【請求項１】
機器内に、空気を送風する送風手段と、貯水可能なタンクと、前記タンク内の水を電気分解するための陽電極および陰電極と、前記陽電極と前記陰電極間にある隔膜と、前記電極に電圧を印加するための電源回路と、電気分解した水を噴射するための噴射手段と、電気分解した水を前記噴射手段に運ぶポンプと、前記噴射手段により噴射した水を衝突させるための壁面を備え、前記噴射手段により前記壁面に衝突して微細化した還元水のミストを前記送風手段により室内に送り込むことを特徴とした空気調和機。
【請求項２】
前記タンクに機器の外部から給水するための給水部と、前記給水部から給水する水の流量を調節する流量調節手段と、前記流量調節手段を制御する制御手段を備え、機器の外部から前記タンクへの給水を自動で行うことができることを特徴とした、請求項１記載の空気調和機。
【請求項３】
前記タンクに、貯水量を検知できる水量検知手段を備え、前記タンクの貯水量が少ないとき、電気分解を行わないことを特徴とした、請求項２記載の空気調和機。
【請求項４】
前記電極間に流れる電流値を検知する電流検知手段を備え、前記電極間に流れる電流値を一定にすることを特徴とした、請求項１記載の空気調和機。
【請求項５】
機器内に機器の異常を知らせるための表示手段を備え、前記電極間に流れる電流値が一定以下になると、前記表示手段に表示することを特徴とした、請求項４記載の空気調和機。
【請求項６】
機器内に、運転の設定を操作できる操作手段を備え、前記操作手段から信号が入力されたときに、前記電極への電圧印加を行わないことを特徴とした、請求項１記載の空気調和機。
【請求項７】
前記タンク内に、水の温度を調節できる温度調節手段と、前記温度調節手段に電圧を印加する温度調節手段用電源を備え、前記タンクに貯水している水の温度を変化できることを特徴とした、請求項１記載の空気調和機。
【請求項８】
前記タンク内に、水の温度を検知できる温度検知手段を備え、前記タンクに貯水している水の温度を自動で調節できることを特徴とした、請求項７記載の空気調和機。
【請求項９】
機器内に、室内の人を検知することができる人検知手段を備え、人を検知したときに前記電極に電圧を印加することを特徴とした、請求項１記載の空気調和機。
【請求項１０】
前記ミストを吹出す方向を変更できる吹出し方向調節手段を備え、前記人検知手段で人のいる方向を検知し、人のいる方向に向けて前記ミストを吹出す方向を調節できることを特徴とした、請求項９記載の空気調和機。
【請求項１１】
機器内にたばこの煙を検知するための煙検知手段を備え、たばこの煙を検知したときに、前記ミストの量を多くすることを特徴とした、請求項１記載の空気調和機。
【請求項１２】
前記タンク近傍に、前記タンクの水に芳香を加えるための芳香剤を備え、前記ミストに芳香を加えることを特徴とした、請求項１記載の空気調和機。
【発明の詳細な説明】
【技術分野】
【０００１】
本発明は、空気調和機に関する。
【背景技術】
【０００２】
従来、この種の空気調和機では、還元水のミストを生成するために、タンクの水をミスト化した後にイオン発生材に接触して、還元水のミストを生成する方法が知られていた。しかしながら、この方法の還元水のミストの生成方法では、還元水の濃度の調節ができず、イオン発生材への接触面積、材料の状態などに依存する部分が大きかった（例えば特許文献１参照）。
【０００３】
以下、その空気調和機について図１０を参照にしながら説明する。
【０００４】
図１０において、底部に設置され脱着できる貯水タンク１００と、上部に振動防止材で固定したコンプレッサー１０１と、装置内部の壁に設置し循環空気と双流させる陰イオン発生ファン１０２と、圧縮空気配管の途中で接続される電荷付加装置１０３と、陰イオン発生ファン１０２の回転翼に固定されるゲルマニュムダイオード１０４と、最上部に設置する空気循環用シロッコファン１０５と、操作制御盤１０６と、各機器を収納するキャスター付ケース１０７と、貯水タンク１００内に設置され圧縮空気により水中でバイブリング機能する空気分散器１０８と、吸込み側に設置した空気中のダストを除去する抗菌遠赤フィルター１０９から構成する。
【０００５】
上記構成において、室内空間の清浄と重力波陰イオンによる還元作用で精神安定と快適な湿度空間が、短時間、省エネルギーでできる。
【特許文献１】特開平１０−３３９４８４号公報
【発明の開示】
【発明が解決しようとする課題】
【０００６】
このような従来の空気調和機では、使用者の体内に悪影響を与えるとしている活性酸素が生活習慣の中で発生することに対して予防する還元水の濃度が調節できないという課題があった。
【０００７】
また、タンクに還元水の元となる水がなくなると、給水するための手間がかかるという課題があった。
【０００８】
また、貯水量が少ない時に電極に電圧を印加すると、空気中の酸素が電気分解されてオゾンが発生するという課題があった。
【０００９】
また、電気分解が過剰に起こることで、還元性の強い微粒子が発生するという課題があった。
【００１０】
また、電極を使用し続けることで電極に不純物が付着して還元水の生成を妨げる事があるという課題があった。
【００１１】
また、還元水のミストでなく、通常のミストを使用したい時においても切り替えができないという課題があった。
【００１２】
また、冬場に通常の水道水をそのままミストにして室内に送り出すと使用者が寒さを感じるという課題があった。
【００１３】
また、室内へ送り出すミストの温度の微妙な調節ができないという課題があった。
【００１４】
また、人がいないときに還元水をミストにすると、電極に電圧を印加し続けるため省エネではないという課題があった。
【００１５】
また、室内に送り出したミストが室内に拡散してしまい、人のいるところに行き着かないという課題があった。
【００１６】
また、室内でたばこを吸うことで活性酸素が体内で多くなるという課題があった。
【００１７】
また、ミストの吹出しのみではリラックス効果に欠けるという課題があった。
【００１８】
本発明は、上記従来の課題を解決するもので、活性酸素に対する予防ができ、給水の手間もかからず、オゾンの発生もなく、還元性の強いミストの発生を抑え、電極の不純物の発生を促すことができ、通常ミストを使用でき、ミストの温度調節ができ、省エネであり、室内に拡散しないで使用者にミストを送ることができ、たばこを吸っているときに活性酸素の増加を抑え、リラックス効果のある空気調和機を提供することを目的としている。
【課題を解決するための手段】
【００１９】
機器内に、機器内に、空気を送風する送風手段と、貯水可能なタンクと、前記タンク内の水を電気分解するための陽電極および陰電極と、前記陽電極と前記陰電極間にある隔膜と、前記電極に電圧を印加するための電源回路と、電気分解した水を噴射するための噴射手段と、電気分解した水を前記噴射手段に運ぶポンプと、前記噴射手段により噴射した水を衝突させるための壁面を備え、前記噴射手段により前記壁面に衝突して微細化した還元水のミストを前記送風手段により室内に送り込む構成としたものである。
【００２０】
この手段により、還元水を体内にミストとして取り入れて、活性酸素を還元し、除去することができる。
【００２１】
また、他の手段は、タンクに機器の外部から給水するための給水部と、給水部から給水する水の流量を調節する流量調節手段と、流量調節手段を制御する流量制御手段を備え、機器の外部から前記タンクへの給水を自動で行うことができる構成としたものである。
【００２２】
この手段により、タンクの貯水量が少なくなると、給水部から自動で給水することができる。
【００２３】
また、他の手段は、タンクに、貯水量を検知できる水量検知手段を備え、タンクの貯水量が少ないとき、電気分解を行わない構成としたものである。
【００２４】
この手段により、タンクの貯水量が少ないときには、電極に電圧を印加せず、還元水を生成しないようにすることができる。
【００２５】
また、他の手段は、電極間に流れる電流値を検知する電流検知手段を備え、電極間に流れる電流値を一定にする構成にしたものである。
【００２６】
この手段により、タンクに貯水している還元水のｐＨを一定の幅で制御することができる。
【００２７】
また、他の手段は、機器内に機器の異常を知らせるための表示手段を備え、電極間に流れる電流値が一定以下になると、前記表示手段に表示する構成にしたものである。
【００２８】
この手段により、電極に不純物が付着したときに、使用者に電極の洗浄を促すことができる。
【００２９】
また、他の手段は、機器内に、運転の設定を操作できる操作手段を備え、操作手段から信号が入力されたときに、前記電極への電圧印加を行わない構成にしたものである。
【００３０】
この手段により、通常のミストに切り替えることができる。
【００３１】
また、他の手段は、タンク内に、水の温度を調節できる温度調節手段と、温度調節手段に電圧を印加する温度調節手段用電源を備え、タンクに貯水している水の温度を変化できる構成にしたものである。
【００３２】
この手段により、室内に送り出すミストの温度を変更することができる。
【００３３】
また、他の手段は、タンク内に、水の温度を検知できる温度検知手段を備え、タンクに貯水している水の温度を自動で調節できる構成にしたものである。
【００３４】
この手段により、室内へ送り出すミストの温度を適当な温度に調節することができる。
【００３５】
また、他の手段は、機器内に、室内の人を検知することができる人検知手段を備え、人を検知したときに電極に電圧を印加する構成にしたものである。
【００３６】
この手段により、人がいないときは電極に電圧が印加しないようにすることができる。
【００３７】
また、他の手段は、ミストを吹出す方向を変更できる吹出し方向調節手段を備え、人検知手段で人のいる方向を検知し、人のいる方向に向けてミストを吹出す方向を調節できる構成にしたものである。
【００３８】
この手段により、室内で極力拡散せずに、人のいる所までミストを送り出すことができる。
【００３９】
また、他の手段は、機器内にたばこの煙を検知するための煙検知手段を備え、たばこの煙を検知したときに、ミストの量を多くする構成にしたものである。
【００４０】
この手段により、たばこの煙が多いときに還元水のミストを多く送り出すことができる。
【００４１】
また、他の手段は、タンク近傍に、タンクの水に芳香を加えるための芳香剤を備え、ミストに芳香を加える構成にしたものである。
【００４２】
この手段により、室内に芳香剤を加えたミストを送り出すことができる。
【発明の効果】
【００４３】
本発明によれば、体内に悪影響を与える活性酸素の増加を予防することができる空気調和機を得ることができる。
【００４４】
また、貯水量が少なくなったときに給水の手間が掛からない空気調和機を得ることができる。
【００４５】
また、オゾンの発生を抑える空気調和機を得ることができる。
【００４６】
また、体に不適な還元水を生成することを抑える空気調和機を得ることができる。
【００４７】
また、安定した濃度の還元水の生成が可能である空気調和機を得ることができる。
【００４８】
また、通常のミスト機能も使用可能である空気調和機を得ることができる。
【００４９】
また、冬場などにミストを使用しても寒さを感じない空気調和機を得ることができる。
【００５０】
また、吹出す温度を使用者の好みの温度に調節できる空気調和機を得ることができる。
【００５１】
また、省エネで使用できる空気調和機を得ることができる。
【００５２】
また、還元水のミストを使用者まで送ることができる空気調和機を得ることができる。
【００５３】
また、たばこによる体内の活性酸素の発生を抑制することができる空気調和機を得ることができる。
【００５４】
また、より高いリラックス効果がある空気調和機を得ることができる。
【発明を実施するための最良の形態】
【００５５】
本発明の請求項１の発明は、機器内に、機器内に、空気を送風する送風手段と、貯水可能なタンクと、前記タンク内の水を電気分解するための陽電極および陰電極と、前記陽電極と前記陰電極間にある隔膜と、前記電極に電圧を印加するための電源回路と、電気分解した水を噴射するための噴射手段と、電気分解した水を前記噴射手段に運ぶポンプと、前記噴射手段により噴射した水を衝突させるための壁面を備え、前記噴射手段により前記壁面に衝突して微細化した還元水のミストを前記送風手段により室内に送り込む構成としたものであり、還元水を体内にミストとして取り入れて、活性酸素を還元し、除去することができるという作用を有する。
【００５６】
本発明の請求項２の発明は、タンクに機器の外部から給水するための給水部と、給水部から給水する水の流量を調節する流量調節手段と、流量調節手段を制御する流量制御手段を備え、機器の外部から前記タンクへの給水を自動で行うことができる構成としたものであり、タンクの貯水量が少なくなると、給水部から自動で給水するという作用を有する。
【００５７】
本発明の請求項３の発明は、タンクに、貯水量を検知できる水量検知手段を備え、タンクの貯水量が少ないとき、電気分解を行わない構成としたものであり、タンクの貯水量が少ないときには、電極に電圧を印加せず、還元水を生成しないという作用を有する。
【００５８】
本発明の請求項４の発明は、電極間に流れる電流値を検知する電流検知手段を備え、電極間に流れる電流値を一定にする構成にしたものであり、タンクに貯水している還元水のｐＨを一定の幅で制御するという作用を有する。
【００５９】
本発明の請求項５の発明は、機器内に機器の異常を知らせるための表示手段を備え、電極間に流れる電流値が一定以下になると、前記表示手段に表示する構成にしたものであり、電極に不純物が付着したときに、使用者に電極の洗浄を促す作用を有する。
【００６０】
本発明の請求項６の発明は、機器内に、運転の設定を操作できる操作手段を備え、操作手段から信号が入力されたときに、前記電極への電圧印加を行わない構成にしたものであり、通常のミストに切り替えることができる作用を有する。
【００６１】
本発明の請求項７の発明は、タンク内に、水の温度を調節できる温度調節手段と、温度調節手段に電圧を印加する温度調節手段用電源を備え、タンクに貯水している水の温度を変化できる構成にしたものであり、室内に送り出すミストの温度を変更することができる作用を有する。
【００６２】
本発明の請求項８の発明は、タンク内に、水の温度を検知できる温度検知手段を備え、タンクに貯水している水の温度を自動で調節できる構成にしたものであり、室内へ送り出すミストの温度を適当な温度に調節する作用を有する。
【００６３】
本発明の請求項９の発明は、機器内に、室内の人を検知することができる人検知手段を備え、人を検知したときに電極に電圧を印加する構成にしたものであり、人がいないときは電極に電圧が印加しないようにすることができる作用を有する。
【００６４】
本発明の請求項１０の発明は、ミストを吹出す方向を変更できる吹出し方向調節手段を備え、人検知手段で人のいる方向を検知し、人のいる方向に向けてミストを吹出す方向を調節できる構成にしたものであり、室内で極力拡散せずに、人のいる所までミストを送り出すことができる作用を有する。
【００６５】
本発明の請求項１１の発明は、機器内にたばこの煙を検知するための煙検知手段を備え、たばこの煙を検知したときに、ミストの量を多くする構成にしたものであり、たばこの煙が多いときに還元水のミストを多く送り出すことができる作用を有する。
【００６６】
本発明の請求項１２の発明は、タンク近傍に、タンクの水に芳香を加えるための芳香剤を備え、ミストに芳香を加える構成にしたものであり、室内に芳香剤を加えたミストを送り出すことができる作用を有する。
【００６７】
以下、本発明の実施の形態について図面を参照しながら説明する。
【００６８】
（実施の形態１）
図１に示すように、機器内に、貯水可能なタンク１と、タンク１内の水を電気分解するための陽電極２および陰電極３と、陽電極２と陰電極３間にある隔膜４と、電極に電圧を印加するための電源回路５と、電気分解した水を噴射するための噴射手段としてのノズル６と、電気分解した水をノズル６に運ぶポンプ７と、噴射した水を衝突させるための壁面８と、空気を送風する送風手段としてのファン９を構成する。
【００６９】
上記構成において、図２に示すように、タンク１に貯水している状態で、タンク１内の陽電極２および陰電極３に電源回路５から電圧を印加する。電圧を印加すると、陽電極２と陰電極３の間で水が電気分解していき、電気分解することで発生した陽イオンＨ+と陰イオンＯＨ-が陽電極２および陰電極３に引き寄せられて、隔膜４を境にイオンの濃度が分かれる。
【００７０】
通常陰電極３側には、Ｈ+が引き寄せられるが、引き寄せられたＨ+は陰電極３から電子をもらい、Ｈ2として気体となり空気中に拡散する。そのため、陰電極３側にはＯＨ-が多くなり、陰電極３のある水はＯＨ-が多く滞在するアルカリイオン水となる。逆に陽電極ではＨ＋が多く存在するため酸化イオン水となり、隔膜４によって中性とならずに存在する。
【００７１】
陰電極３側からは先ほど述べたように、Ｈ2が発生するが、アルカリイオン水中は水素の溶解度が高く、酸化還元性電位を低くして還元性のある水が生成される。
【００７２】
このようにして生成した還元水はポンプ７でノズル６へ送られて、ノズル６から噴射した還元水を壁面８へ衝突することでミスト状とし、ファン９によって室内にミスト状の還元水を送り出す。ファン９により壁面８に衝突して微細化した還元水のミストを室内に送り込む。室内に送り込まれた微細化した還元水のミストが室内を満たすこととなる。微細化した還元水のミストが室内に充満する。
【００７３】
室内に送り込まれたミスト状の還元水は、還元雰囲気を保ちながら人間の体内に取り込まれて、体内にある活性酸素を還元することで、体内に対して多くの害を及ぼすとされる活性酸素を減らすことができる。
【００７４】
なお本実施の形態では、噴射手段としてノズル、送風手段としてファンを用いたが、同様の作用効果が得られるものであればこれに限るものではない。
【００７５】
（実施の形態２）
次に、本発明の実施の形態２について図面を参照しながら説明する。なお、実施の形態１と同一のものは同一番号を付し、その詳細な説明を省略する。
【００７６】
図３に示すように、タンク１に機器の外部から給水するための給水部１０と、給水部１０から給水する水の流量を調節する流量調節手段としての給水弁１１と、給水弁１１を制御する流量制御手段としてのマイコン１２と、タンク１の貯水量を検知できる水量検知手段としてのホール素子１３を構成する。
【００７７】
還元水をミスト状にして室内に送り続けることによって徐々にタンク１の貯水量は減少する。給水が必要となったとき、マイコン１２から給水弁１１へ信号をおくることで、自動で給水する。また、タンク１内にホール素子１３を備えることで、タンク１内の貯水量を検知し、ホール素子１３からマイコン１２へ送られた信号で貯水量が少量と検知したときに、自動的に給水弁１１を開いて給水を行う。
【００７８】
なお本実施の形態では、流量調節手段として給水弁、制御手段としてマイコン、水量検知手段としてホール素子を用いたが、同様の作用効果が得られるものであればこれに限るものではない。
【００７９】
（実施の形態３）
次に、本発明の実施の形態３について図面を参照しながら説明する。なお、実施の形態１と同一のものは同一番号を付し、その詳細な説明を省略する。
【００８０】
図４および図５に示すように、機器内に、電極間に流れる電流値を検知する電流検知手段としての電流検知回路１４と、機器の異常を知らせるための表示手段としてのＬＥＤ１５と、運転の設定を操作できる操作手段としての操作ＳＷ１６を構成する。
【００８１】
上記構成において、タンク１内の水を電気分解すると、陽電極２および陰電極３で電解液との間で電子の交換が発生し、電気分解のスピードが速くなるに従い陽電極２と陰電極３に流れる電流値が大きくなる。陽電極２と陰電極３に流れる電流を電流検知回路１４で常時監視し、マイコン１２へ電流値のデータを送る。マイコン１２に送られた電流値のデータがある基準値より大きくなると、電気分解する水の量が多くなることを示し、還元性の高い還元水が生成されるため、電流値を抑えるように印加電圧を調節し、逆にマイコン１２に送られた電流値のデータがある基準値より小さくなると、電気分解する水の量が少なくなることを示すため、還元性の低い還元水が生成されるため、電流値が大きくなるように印加電圧を調節する。
【００８２】
具体的には、陽電極２と陰電極３に印加する電圧をＤＣ１０Ｖとし、その際に電流検知回路１４からマイコン１２に送られる電流値のデータの基準値が１０ｍＡとするとき、時間が経過することで電流値が８ｍＡになった場合、電流値が１０ｍＡになるように印加電圧をＤＣ１０Ｖから上げていき、電流値が１０ｍＡになったところで印加電圧を安定する。
【００８３】
また、印加電圧を調節しても電流値が基準値にならないときは、陽電極２および陰電極３に異常が発生してるものとしてＬＥＤ１５で異常表示する。
【００８４】
また、還元水を生成しないでミストを生成し、室内に送り出したいときには、操作ＳＷ１６からマイコン１２へデータを送ることで、マイコン１２から電源回路５へ電源遮断の信号を送り、陽電極２および陰電極３に印加する電圧値をゼロにする。
【００８５】
なお本実施の形態では、電流検知手段として電流検知回路を、表示手段としてＬＥＤを、操作手段として操作ＳＷとしたが、同様の作用効果が得られるものであればこれに限るものではない。
【００８６】
なお本実施の形態では、電流値を１０ｍＡ、印加電圧値をＤＣ１０Ｖとしたが、同様の作用効果が得られるものであればこれに限るものではない。
【００８７】
（実施の形態４）
次に、本発明の実施の形態４について図面を参照しながら説明する。なお、実施の形態１と同一のものは同一番号を付し、その詳細な説明を省略する。
【００８８】
図６に示すように、タンク内に水の温度を調節できる温度調節手段としてのヒーター１７と、ヒーター１７に電圧を印加する温度調節手段用電源としてのヒーター電源１８と、水の温度を検知できる温度検知手段としてのサーミスタ１９を構成する。
【００８９】
冬場など、水道水の温度でミストを生成したときに、ミストが体にかかり、寒さを感じる場合がある。その際、ヒーター電源１８からヒーター１７へ電圧を印加し、ヒーター１７によってタンク１内の水の温度を寒さの感じない程度まで上げる。
【００９０】
また、タンク１内の水温をサーミスタ１９で検知し、サーミスタ１９で検知する水温が一定になるようにヒーター電源１８を調節し、室内に送り出すミストの温度を一定にする。
【００９１】
具体的には、水温を３０℃で設定した場合、ヒーター１７にヒーター電源１８から電圧を印加し、ヒーター１７で水温を上げる。サーミスタ１９で検知している温度が３０℃になると、ヒーター電源１８からヒーター１７へ印加している電圧を遮断し、温度調節することで、水温を一定にする。
【００９２】
なお、温度調節手段としてヒーターを、温度検出手段としてサーミスタを用いたが、同様の効果が得られるものであればこの限りではない。
【００９３】
なお、温度調節する水温の目標値として３０℃としたが、同様の効果が得られるものであればこの限りではない。
【００９４】
（実施の形態５）
次に、本発明の実施の形態５について図面を参照しながら説明する。なお、実施の形態１と同一のものは同一番号を付し、その詳細な説明を省略する。
【００９５】
図７に示すように、機器内に、室内の人を検知することができる人検知手段としての人感センサー２０と、ミストを吹出す方向を変更できる吹出し方向調節手段としてのルーバー２１を構成する。
【００９６】
上記構成において、室内に人がいる時には、人感センサー２０で人を検知して、通常通り陽電極２および陰電極３に電源回路５から電圧を印加して還元水のミストを室内に送り出す。しかし、人が室内に存在しない場合、還元水を室内に送り出しても体内に取り組んで活性酸素を減少させることは期待できない。そのため、人が室内に存在しない場合、陽電極２と陰電極３への電源回路５からの電圧印加を停止し、省エネを計り、逆に人感センサー２０で室内に人を検知したときには、陽電極２および陰電極３へ電源回路５より電圧を印加して還元水を生成して室内に送り込む。
【００９７】
また、人感センサー２０で室内に人が検知する場所をマイコン１２で認識して、人がいる向きにルーバー２１を調節して人に向けて還元水のミストを送り出す。人のいる方向に還元水のミストを送ることによって、より濃度の高い状態で還元水を体内に送りこむことができる。
【００９８】
なお、人検出手段として人感センサー、吹出し方向調節手段としてルーバーを用いたが、同様の効果が得られるものであればこの限りではない。
【００９９】
（実施の形態６）
次に、本発明の実施の形態６について図面を参照しながら説明する。なお、実施の形態１と同一のものは同一番号を付し、その詳細な説明を省略する。
【０１００】
図８に示すように、機器内にたばこの煙を検知するための煙検知手段としての煙センサー２２を構成する。
【０１０１】
上記構成において、室内で人がたばこを吸っていることを機器内の煙センサー２２で検知してマイコン１２に信号を送る。マイコン１２が陽電極２および陰電極３に電圧を印加する電源回路５に対して信号を送り、還元水の量を増やすように電源電圧を調節する。通常、たばこを吸うと、人の体内で活性酸素が増えることが知られているため、還元水の量を増やすことで体内へ取り込んで、多くの活性酸素を減らすことが期待できる。
【０１０２】
なお、煙検知手段として煙センサーを用いたが、同様の効果が得られるものであればこの限りではない。
【０１０３】
（実施の形態７）
次に、本発明の実施の形態７について図面を参照しながら説明する。なお、実施の形態１と同一のものは同一番号を付し、その詳細な説明を省略する。
【０１０４】
図９に示すように、タンク１近傍に、タンク１の水に芳香を加えるための芳香剤２３を備えたものを構成する。
【０１０５】
上記構成において、芳香剤２３をタンク１内の水に混在することで、室内に還元水と芳香剤２３の混在した水をミストとして室内に送り込む。これによって、体内の活性酸素の減少を期待できるだけでなく、リラックス効果など芳香剤２３の効果も同様に期待することができる。
【０１０６】
例えば、芳香剤２３として、森林の香りを含んだフィトンチット、テルペン類などの芳香剤を用いたとすると、タンク１内に森林の香りを含んだ芳香剤２３が加わることで、還元水のミストと一緒に森林の香りの芳香剤２３を含んだ水のミストも室内に送ることができ、森林の香りの芳香剤２３の作用でリラックス効果を期待できる。
【０１０７】
なお、芳香剤２３として森林の香りの芳香剤を用いたが、同様のリラックス効果が得られるものであればこの限りではない。
【産業上の利用可能性】
【０１０８】
使用者の疾病など様々な異常に対しての予防機器、医療用機器などの用途にも適用できる。
【図面の簡単な説明】
【０１０９】
【図１】本発明の実施の形態１の空気調和機の構成を示す概略図
【図２】本発明の実施の形態１のタンクの構成を示す概略図
【図３】本発明の実施の形態２の空気調和機の構成を示す概略図
【図４】本発明の実施の形態３のタンクの構成を示す概略図
【図５】本発明の実施の形態３の空気調和機の構成を示す概略図
【図６】本発明の実施の形態４のタンクの構成を示す概略図
【図７】本発明の実施の形態５の空気調和機の構成を示す概略図
【図８】本発明の実施の形態６の空気調和機の構成を示す概略図
【図９】本発明の実施の形態７の空気調和機の構成を示す概略図
【図１０】従来の空気調和機の構成を示す概略図
【符号の説明】
【０１１０】
１      タンク
２      陽電極
３      陰電極
４      隔膜
５      電源回路
６      ノズル
７      ポンプ
８      壁面
９      ファン
１０    給水部
１１    給水弁
１２    マイコン
１３    ホール素子
１４    電流検知回路
１５    ＬＥＤ
１６    操作ＳＷ
１７    ヒーター
１８    ヒーター電源
１９    サーミスタ
２０    人感センサー
２１    ルーバー
２２    煙センサー
２３    芳香剤
１００  貯水タンク
１０１  コンプレッサー
１０２  陰イオン発生ファン
１０３  電荷付加装置
１０４  ゲルマニュムダイオード
１０５  空気循環用シロッコファン
１０６  操作制御盤
１０７  キャスター付ケース
１０８  空気分散器
１０９  抗菌遠赤フィルター
【図１】
2009100976.tif 000003
【図２】
2009100976.tif 000004
【図３】
2009100976.tif 000005
【図４】
2009100976.tif 000006
【図５】
2009100976.tif 000007
【図６】
2009100976.tif 000008
【図７】
2009100976.tif 000009
【図８】
2009100976.tif 000010
【図９】
2009100976.tif 000011
【図１０】
2009100976.tif 000012